(57)【要約】　　　（修正有）【課題】注射針などの針を廃棄システムにおいて、針をホルダーから取外すための処理をより効率的にする。【解決手段】感染性廃棄物の容器システムは、針廃棄容器、針ホルダー１０、および針廃棄インサート５０がふくまれる。針廃棄インサート５０が廃棄容器に装着されるかまたは廃棄容器と共に形成される。針廃棄インサートは対向する第１及び第２凹部を有する円筒部材を含む。第一凹部は切れ込みを含み、それによって針ホルダーから針を外し、第２凹部はくぼみ部を含み、それによって針ホルダーを閉位置へ戻すことができる。【選択図】　　　　図１２
2004000526.tif 000002
【特許請求の範囲】
【請求項１】
上端、下端およびこれら上端と下端との間に延在する内周面を備えた実質的に管状の側壁を有した針廃棄インサートにおいて、
前記内周面は、取外し部と該取外し部について正反対の位置で向かい合うリセット部であって、内方にかつ下方に傾斜した取外し作動面を含む前記取外し部と、下方にかつ外方に傾斜したリセット作動面を含む前記リセット部を特徴とする針廃棄インサート。
【請求項２】
前記取外し部はさらに取外し案内面を含み、該案内面は前記管状側壁と実質的に平行に前記上端から前記内方に傾斜する取外し作動面まで延在することを特徴とする請求項１に記載の針廃棄インサート。
【請求項３】
前記リセット部はさらにリセット案内面を含み、該案内面は前記取外し案内面と実質的に平行で、前記上端から前記リセット作動面まで延在することを特徴とする請求項２に記載の針廃棄インサート。
【請求項４】
前記取外し作動面は上部端および下部端を有し、これら上下端は半径方向で選択された取外しオフセット距離だけ相互にオフセットし、および、リセット作動面は上部端および下部端を有し、これら上下端は半径方向で選択されたリセットオフセット距離だけ相互にオフセットし、前記取外しオフセット距離と前記リセットオフセット距離は実質的に等しいことを特徴とする請求項３に記載の針廃棄インサート。
【請求項５】
前記取外し案内面と前記傾斜したリセット作動面は、少なくともそれらの一部が前記上端から実質的に等しい間隔であることを特徴とする請求項２に記載の針廃棄インサート。
【請求項６】
さらに外面を有し、該外面は当該針廃棄インサートを平らな壁に固定して装着する手段を有したことを特徴とする請求項１に記載の針廃棄インサート。
【請求項７】
前記外方に傾斜したリセット作動面は当該針廃棄インサートの他の部分に対して旋回でき、さらに、少なくとも前記傾斜したリセット作動面を内向きに付勢する付勢手段を有したことを特徴とする請求項１に記載の針廃棄インサート。
【請求項８】
針廃棄容器において、
蓋を有した容器と、
前記蓋を通って形成された開口であって、それによって前記容器の内部に進入できる開口と、
前記蓋の前記開口に配される針廃棄インサートであって、上端、下端およびこれら上端と下端との間に延在する内周面を備えた実質的に管状の側壁を有し、前記内周面は、取外し部と該取外し部について正反対の位置で向かい合うリセット部であって、前記管状側壁に実質的に平行な取外し案内面と該取外し案内面から下方に延在する内方に傾斜した取外し作動面とを含む前記取外し部と、前記取外し案内面に実質的に平行なリセット案内面と該リセット案内面から下方に延在する外方に傾斜したリセット作動面とを含む前記リセット部を特徴とするものである針廃棄インサートと、
を具えたことを特徴とする針廃棄容器。
【請求項９】
前記取外し部の前記取外し案内面は上部垂直面であり、前記取外し部は、さらに、前記内方に傾斜した取外し作動面から前記下端に向けて延在する下部垂直面を含み、該下部垂直面と前記取外し案内面は実質的に平行であることを特徴とする請求項８に記載の針廃棄容器。
【請求項１０】
前記取外し部は、さらに、前記リセット案内面に実質的に平行で前記リセット作動面から前記下端にかけて延在する下部垂直面を含むことを特徴とする請求項８に記載の針廃棄容器。
【請求項１１】
前記取外し作動面は上部端および下部端を有し、これら上下端は半径方向で選択された取外しオフセット距離だけ相互にオフセットし、および、リセット作動面は上部端および下部端を有し、これら上下端は半径方向で選択されたリセットオフセット距離だけ相互にオフセットし、前記取外しオフセット距離と前記リセットオフセット距離は実質的に等しいことを特徴とする請求項１０に記載の針廃棄容器。
【請求項１２】
前記取外し案内面と前記傾斜したリセット作動面は、少なくともそれらの一部が前記上端から実質的に等しい間隔であることを特徴とする請求項８に記載の針廃棄容器。
【請求項１３】
前記リセット作動面の上部は当該針廃棄インサートの他の部分に旋回可能に連結されて当該リセット作動面の下部が当該針廃棄インサートに対して内および外に動くことができ、前記針廃棄容器はさらに付勢手段を具えて前記リセット作動面の前記下部を付勢することを特徴とする請求項８に記載の針廃棄容器。
【請求項１４】
針廃棄システムにおいて、
管状の側壁と、前記管状側壁から延在し中央開口を有した端部壁と、前記端部壁に取付けられる取外し機構と、を有した針ホルダーであって、前記取外し機構は一対のあごを具え、該一対のあごの少なくとも１つは、当該一対のあごが針を当該針ホルダーに取外し可能に取り付ける閉位置と当該一対のあごが針を取外す開位置との間を動くことができ、該可動のあごは当該可動のあごが前記開位置にあるとき当該針ホルダーから横方向に突き出る針ホルダーと、
蓋と、前記蓋を通って形成された開口であってそれによって前記容器の内部に進入できる開口と、前記蓋の前記開口における針廃棄インサートと、を有した容器であって、前記針廃棄インサートは、上端、下端およびこれら上端と下端との間に延在する内周面を備えた実質的に管状の側壁を有し、前記内周面は、取外し部と該取外し部について正反対の位置で向かい合うリセット部であって、内方に傾斜した取外し作動面を有した前記取外し部と、外方に傾斜し前記リセット作動面を有した前記リセット部を特徴としたものである容器と、
を具えたことを特徴とする針廃棄システム。
【請求項１５】
前記針ホルダーにおいて当該端部壁に隣接する部分は外形を規定し、前記針廃棄インサートにおいて当該上端に隣接する部分の寸法は、前記針ホルダーの前記管状側壁のスライドによる挿入が可能に定められていることを特徴とする請求項１４に記載の針廃棄システム。
【請求項１６】
前記可動のあごは、当該あごが前記閉位置にあるとき前記針ホルダーの前記管状側壁と実質的に一直線となる外面を有することを特徴とする請求項１４に記載の針廃棄システム。
【請求項１７】
前記傾斜したリセット作動面の上部は当該リセット作動面の下部からリセットオフセット距離だけオフセットし、前記可動のあごの前記外面は、当該可動のあごが前記開位置にあるとき前記針ホルダーの前記外面からリセットオフセット距離より大きくない距離だけオフセットすることを特徴とする請求項１６に記載の針廃棄システム。
【請求項１８】
針廃棄システムにおいて、
管状の側壁と、前記管状側壁から内方に延在し中央開口を有した端部壁と、前記端部壁に取付けられる取外し機構と、を有した針ホルダーであって、前記取外し機構は一対のあごを具え、該一対のあごの少なくとも１つは可動のあごであって、該あごは、当該一対のあごが針を当該針ホルダーに取外し可能に取り付ける閉位置と当該一対のあごが針を取外す開位置との間を動くことができ、該可動のあごは当該可動のあごが前記開位置にあるとき当該針ホルダーから横方向に突き出る針ホルダーと、
蓋と、前記蓋を通って形成された開口であってそれによって前記容器の内部に進入できる開口と、前記蓋の前記開口における針廃棄インサートと、を有した容器であって、前記針廃棄インサートは、前記針ホルダーを前記針廃棄インサートに対しおよび前記針廃棄インサートから実質的に直線状に案内する案内手段と、前記可動のあごを、前記針ホルダーが前記案内手段による案内に従って前記針廃棄インサート内へ直線状に動くのに応答して、前記開位置へ移動させるための取外し手段と、前記可動のあごを、前記針ホルダーが前記案内手段による案内に従って前記針廃棄インサートから直線状に動くのに応答して、前記開位置から前記閉位置へ移動させるためのリセット手段と、を具えたものである容器と、
を具えたことを特徴とする針廃棄システム。
【発明の詳細な説明】
【０００１】
【発明の属する技術分野】
本発明は、液体採集針用の、感染性廃棄物の容器システムに関する。特に、本発明は、針ホルダーから針廃棄容器の中へ針を廃棄する場合の改善に関するものである。
【０００２】
【従来の技術】
液体採集針は患者から血液のような液体の標本をとるために用いられ、これによって検査や血沈試験を行なうことができる。この針は大抵針ホルダーにねじで固定される。使用済みの針は廃棄のためホルダーから分離されるが、これは、使用済みの針をプロテクタで覆うとともに、針を分離するため針のハブにおける雄ねじを針ホルダーの雌ねじから外し、さらに、上記のプロテクタをホルダーから外すことによって行われる。分離された針はプロテクタによって覆われて適当な容器に入れられる。
【０００３】
この処理では、しかしながら、プロテクタで血液採集針を覆うとき指や手のひらを誤って針で突き刺す危険がある。扱う者にとっては、そのような処理に伴う明らかな災害、すなわち、より悪いケースではＨＩＶや肝炎のようなウイルスの汚染が存在することになる。
【０００４】
この問題を解決するため、種々の針ホルダーを含んだ装置が開発されてきている。それらのホルダーは扱う者が使用済みの血液採集針を指で扱うことをせずに取外すことができるようされたものである。具体的には、これらの針ホルダーは、簡単に扱うことができ、また、凹部または凸部を含んだ特定の形状を有した針との組合せで用いられるようにされている。しかし、その特定の形状のために、それらの針ホルダーは一般的なねじ装着タイプの針との組合せでは用いることはできない。
【０００５】
針を針ホルダーに組み合わせる上でのこの問題を解決するためより精巧にされた針ホルダーが開発されており、それらには簡単に扱うことができる針ホルダーが含まれている。この簡単に扱うことができる針ホルダーは、第１および第２の端部を有した円筒状のホルダー本体を含んだものである。円筒状ホルダー本体はその第１端部に針固定手段を有している。針固定手段は固定の部材と第１および第２のスライド部材を含み、第１および第２スライド部材は円筒状本体の第１端部の壁に沿ってスライド可能となっている。固定の部材は針のハブの半円周を締めるようされており、また、第１スライド部材は針のハブの対向する半円周を締めるようにされている。第１スライド部材は、針のハブが上記固定の部材と第１スライド部材との間で締められる位置である閉位置と、針のハブが固定の部材と第１スライド部材との間で行き来できる位置である開位置との間で移動できる。第２スライド部材は、事実上アクチュエータであり、第１スライド部材を上記閉位置から開位置へ移動させることができる。この針ホルダーは、針を取外し可能にホルダーに対して固定することを可能とするものであり、また、ねじ装着タイプの血液採集針との組合せで用いられるものである。
【０００６】
上述のホルダーから針を取外すのは、第２スライド部材を指で押して第１スライド部材を固定の部材から離すことによって可能となる。これによって、針はホルダーから離れて針ホルダーの真下にある、適当な針容器に重力で落下する。ホルダーから針をそのような使い捨て針容器へ入れることを容易にするため、容器にはめ込まれたインサートが開発されてきており、それによってホルダー上の取外し機構を作動させて針をホルダーから外すことができる。そのようなインサートは、典型的には取外し機構を有しており、それが第２スライド部材と接触することにより第２スライド部材を第１スライド部材の方へスライドさせ針をホルダーから外すものである。
【０００７】
【発明が解決しようとする課題】
しかしながら、そのような廃棄システムには多くの不都合がある。針をホルダーから取外すための処理は、ある程度はより効率的にされてきたが、依然として針ホルダーを再始動することが必要である。この針ホルダーの再始動は、第１スライド部材を第２スライド部材の方へ押して針ホルダーが新しい針を把持できる位置にあるようにするものである。
【０００８】
【課題を解決するための手段】
本発明は廃棄容器用の改善された針廃棄インサートを提供するものである。針廃棄インサートは円筒状部材を含み、その円筒状部材は上部端と下部端のある円筒状壁を有するものである。第１および第２の凹部が上記円筒状壁において正反対の位置で対向している。第１凹部は切れ込み部を含むものであり、それによって針を針ホルダーから外すことができる。また、第２凹部は再始動手段を含んだくぼみ部を含むものであり、それによって針ホルダーを閉位置に戻すことができる。第２凹部における再始動手段としては、インサートの上部端から半径方向で外に向かって傾斜する傾斜壁を含み、それが針ホルダー上の再始動機構と係合するものとすることができる。
【０００９】
また、本発明は感染性廃棄物の容器システムを提供するするものであり、そのシステムには廃棄容器、針ホルダー、および針廃棄インサートが含まれる。この針廃棄インサートは廃棄容器に装着されるかまたは廃棄容器とともに形成されて針ホルダーと相互作用をすることができるものである。針廃棄インサートは円筒状部材を含み、この部材は上端部と下端部がある円筒状壁とこの円筒状壁における第１および第２の正反対位置で対向する凹部とを有する。第１凹部は切りこみ部を含むものであり、それによって針ホルダーから針を外すことができる。第２凹部は再始動手段を備えたくぼみ部を含み、それによって針ホルダーを閉位置ヘ戻すことができる。第２凹部におけるこの再始動手段はインサートの上端部から半径方向に外に向かって傾斜する傾斜壁であり、針ホルダー上の再始動機構と係合する。
【００１０】
【発明の実施の形態】
本発明の針廃棄インサートは、図１および図２に示すように、公知の針ホルダー１０と公知の針アセンブリ１２とともに用いられる。針アセンブリ１２は針カニューレ１４を含むものであり、この針カニューレは図１において下向きの静脈注射端と図１において上向きの非患者側端とを備えている。針カニューレ１４はしっかりとそして常にプラスチックのハブ１６に装着されている。ハブ１６はねじ山１８の列を備え、このねじ山の列はハブ１６の中間位置から針カニューレ１４の非患者側端に向かって延在する。エラストマーの鞘２０が針カニューレ１４の非患者側端を覆い、また、これがバルブとして機能することにより多種多様な体液の採集が可能となる。
【００１１】
針ホルダー１０は管状の側壁２２を含み、この側壁には広く開いた基端（不図示）と末端２４がある。端部壁２６がこの側壁２２の末端２４を横断して延在するとともに、端部壁の中央には開口２８がある。開口２８はその断面寸法が針アセンブリ１２の最大の断面寸法を超えるように規定されている。
【００１２】
針グリップアセンブリ３０がホルダー１０の端部壁２６に固定される。針グリップアセンブリ３０は、ハウジング３２と固定のあご３４を含み、これらは両方とも実質的に動かないよう端部壁２６に装着される。固定のあご３４は半円筒形状の凹状内部面３６を含み、この面は、端部壁２６の開口と同心であり、また、ハブ１６のねじ山が切られた部分と係合するようようその寸法が定められるものである。針グリップアセンブリ３０は、さらに、動くことができるあご３８を含み、このあごは固定のあご３４に向かって、また、それから離れるように動くことができる。可動あご３８は概略半円筒状の凹面４０を特徴とするものであり、この面は、図１に示されるように、可動あご３８が固定あご３４に向かって移動するときにハブ１６のねじが切られた部分と係合できるように構成されている。可動あご３８は、さらに、フランジ４２を含み、このフランジは凹状のグリップ面４０から半径方向外側に間隔をおいて配されている。アクチュエータ部材４４は、可動あご３８と平行して移動できるものであり、外部から作用することが可能な第１作動面４６を有している。この作動面は可動あご３８の凹状グリップ面４０と正反対の位置にある。アクチュエータ部材４４はさらに、第２作動面４８を含むものであり、この作動面は可動あご３８のフランジ４２にその面を向けている。
【００１３】
図１に最も明確に示されるように、針ホルダー１０の側壁２２は端部壁２６の近傍で外径が“ａ”である。アクチュエータ４０の第１作動面４６と可動あご３８上のフランジ４２との間の断面における外側の寸法は外径“ａ”よりわずかに小さいだけである。図２に示すように、可動あご３８のフランジ４２の外側の面は、可動あご３８が開位置にあるとき、針ホルダー１０の管状側壁２２の外面から距離“ｂ”だけずれる。
【００１４】
図１は、可動あご３８が固定あご３４の方へ動かされた状態を表している。この位置で、ハブ１６のねじ山１８は凹状グリップ面３６と４０の間で固定され、これにより、針アセンブリ１２を針ホルダー１０に保持することができる。この位置で、針アセンブリ１２の非患者側端は針ホルダー１０内に突出する。半径方向内側向きの力をアクチュエータ４４の第１作動面４６に作用させることにより、アクチュエータ４４を図１における矢印Ａの方向に動かすことができる。この移動によって、アクチュエータ４４が可動あご３８を固定あご３４から離れるように動かし、図２に示される状態とするとすることができる。この配置では、半円筒の凹状グリップ面３６と４０によって形成される断面は針ハブ１６のねじ山部の断面寸法より大きくなる。その結果、針アセンブリ１２は針ホルダー１０から重力で落下する。針ホルダー１０はリセットされて新しい針アセンブリを受け入れることができ、これは可動あご３８のフランジ４２に半径方向内向きの力を加えることによって可能となる。これらの力により可動あご３８はアクチュエータ４４を動かし、それによって、可動あご３８とアクチュエータ４４の両方を、新しい針アセンブリ１２をねじ山で受け入れる位置にリセットすることができる。
【００１５】
上述した、また、図１および２で示したような針ホルダーの中には、親指ないし人差し指で作動し、また、リセットされるようにしたものもあるが、上記で説明したように、針アセンブリの近くで手を使った動きを最小限にできるという利点がある。他の針ホルダーとしてアクチュエータリングとともに用いられるものがある。アクチュエータリングは典型的には、針廃棄容器における開口に装着され、針ホルダーおよび針アセンブリは、このアクチュエータリング内へ入れられる。アクチュエータリングは、アクチュエータを矢印Ａ方向に動かし、これにより、可動あごを動かして針カニューレを外すことができる。これらの構成は、しかしながら、ユーザが手動で可動あごをリセットするする必要がある。可動あごの手動によるリセットは不便で、また、仮にリセットが適切になされない場合は、次の針アセンブリの係合が正しく行えないことになる。
【００１６】
本発明による針廃棄インサートは、図３〜１２において数字の５０で識別されるものであり、針ホルダー１０と針アセンブリ１２とともに用いられるようにされたものである。針廃棄インサート５０は、また、図１０に示す針廃棄容器５２のような針廃棄容器とともに用いることができるものである。針廃棄容器５２は、上部が開口した容器５４と容器５４の開口上部にスナップ止めでしっかりと固定される蓋５６を含む。蓋５６は開口５８と丁番結合のカバー６０を特徴とするものである。
【００１７】
針廃棄インサート５０は、概略管状構造でプラスチック材料からなる一体のモールド整形のものであり、上端６２、下端６４、内面６６、および外面６８を有している。針廃棄インサート５０の外面６８は、針廃棄容器５２の蓋５６における開口５８に挿入されるようにされている。加えて、外面６８の上端６２に近い部分は、対置される、上方と下方に向くロック面７０を特徴とし、これにより、開口５８に隣接する部分で針廃棄インサート５０を蓋５６にスナップ止めすることができる。
【００１８】
針廃棄インサート５０の内面６６のほとんどは、おおよそ円筒形である。しかし、内面６６は、概略数字の７２によって識別される取外し部と概略数字の７４によって識別されるリセット部を特徴としている。取外し部７２は上部傾斜面７６を特徴とし、この上部傾斜部は針廃棄インサート５０の上端６２から下方にかつ内方におおよそ針廃棄インサート５０の長さの１／３にわたって延在するものである。取外し部７２は、さらに垂直案内面７８を特徴とし、この案内面は、管状の針廃棄インサート５０の軸と大体平行であり、上部傾斜面７６の下端から上端６２と下端６４との間の略中間まで延在する。取外し部７２は、さらに、下部傾斜面８０を特徴とし、この下部傾斜面は垂直案内面７８の下端から下方に延在する。下部垂直面８１が下部傾斜面８０の下端から延在している。下部傾斜面８０は、針廃棄インサート５０の軸に対して２０°から４０°の角度を成し、好ましくは、約２８°の角度で針廃棄インサート５０の下端６４まで連続したものである。
【００１９】
リセット部７４は、上部垂直面８２を特徴とし、この垂直面は上端６２から下方に下端６４までの約１／４を延在するものである。リセット部は、さらに、傾斜リセット面８４を特徴とし、このリセット面は上部垂直面８２の下端から下方にかつ外方に延在するものである。傾斜リセット面８４は、少なくとも上端と下端の間の距離の約１／２にわたって延在する。リセット部７４は、さらに、下部垂直面８６を特徴とし、この垂直面は傾斜リセット面８４の下端から針廃棄インサート５０の下端６４まで延在するものである。傾斜リセット面８４は針廃棄インサート５０の軸に対して２０°から４０°の角度を成し、好ましくは、約２４°の角度を成すものである。このように、面８０と面８４を略平行とすることができる。
【００２０】
取外し部７２の垂直案内面７８とリセット部７４の上部垂直面８２の下方延長線との間に形成される有効直径は、針ホルダー１０における端部壁２６の近くの部分の外径“ａ”よりわずかに大きいだけである。このことによって、上部垂直面８２の下方延長線と取外し部７２における下方傾斜面８０との間の、針廃棄インサート５０の下端６４に近い箇所での距離は、針ホルダー１０の外径“ａ”から連続的に小さくなる。
【００２１】
リセット部７４における上部垂直面８２と下部垂直面８６との間の半径方向のオフセットは、寸法“ｄ”で識別され、図２に示す、可動あご３８のフランジ４２の外面とホルダー１０の管状側壁２２の周囲面との間のオフセット“ｂ”よりわずかに大きいものである。また、本実施形態では、取外し部７２における垂直案内面７８と下部垂直面８１との間の半径方向のオフセットも、同じ寸法“ｄ”とされている。
【００２２】
針廃棄インサート５０は針廃棄容器５２の蓋５６における開口５８に装着されて、針廃棄インサート５０の上端６２が蓋５６の上面と実質的に同一平面を成すか、あるいはわずかに上方にあるようにされる。このため、針廃棄インサート５０の下端６４は針廃棄容器５２の中に出っ張ることになる。針廃棄インサート５０は、図１１および図１２に示されるように用いられるものであり、先ず針ホルダー１０のアセンブリーと使用済みの針アセンブリー１２とを針廃棄インサート５０の円周内面６６内に入れる。それにより、針カニューレ１４の静脈側端は針廃棄インサート５０を通って下方に突き出る。針ホルダー１０はその回転方向位置が合わされて第１作動面４６が実質的に取外し部７２と位置合わせされる。そして、針ホルダー１０は下方に動かされて、側壁２２外面の円周領域が取外し部７２の垂直案内面７８とリセット部７４の上部垂直面８２を擦ってスライドする。さらに、針ホルダー１０が下方に動くと、アクチュエータ４４の作動面４６が取外し部７２の下部傾斜面８０とスライド可能に係合する。一方、側壁２２と垂直面７８および８２が引き続いてスライド可能に係合することによって、針ホルダー１０全体が移動することはできない。このようにして、アクチュエータ４４は針ホルダー１０に対してこれを横断して移動し、可動あご３８を図１２に示す開位置に横断するよう移動させる。この可動あご３８の移動はリセット部７４の下方および外方に傾斜するリセット面８４があることによって可能となる。上述したように、この傾斜面８４に関してそれぞれ反対側にある上部垂直面８２と下部垂直面８６との間のオフセット“ｄ”は、可動あご３８の移動を最大限の範囲で可能とするに充分なものである。これによって、使用済みの針アセンブリー１２は重力で針廃棄容器５２内に落ちる。そして、ユーザは、針ホルダー１０を引き上げて針廃棄インサート５０から引き抜くことができる。この際、垂直面７８および８２は引き続いて針ホルダー１０の管状側壁２２をその最初の位置関係で保持する。一方、可動あご３８上のフランジ４２の外面はリセット部７４の傾斜面８４を上方にかつ内方に向けてスライドする。これによって、可動あご３８は半径方向内向きに移動し、図１１の閉位置に戻る。このように、ホルダー１０は、ユーザによるいかなるリセットを必要とすることなく新しい針アセンブリー１２をねじ山で受けることができるようにされている。結果として、固定あご３４と可動あご３８の正しい位置は、単に針ホルダー１０を針廃棄インサート５０から外すことによって保証されることになる。なお、新しい針アセンブリ１２の装着は、ユーザが、上記のようにリセットされた針ホルダー１０に対して針アセンブリ１２を回転させながら、閉位置にある可動あご３８の内面に形成された雌ねじにアセンブリ１２のねじ山（雄ねじ）１８を係合させることによって可能となる。
【００２３】
例示された実施形態は、動かないように固定された取外し部およびリセット部を備えた針廃棄インサートに関するものである。しかし、ばね駆動、ばねアシスト、または他の付勢によって傾斜の方向の移動する取外し部および／またはリセット部を備え、可動あごの動きを助けることができる針廃棄インサートを提供することは本発明の範囲内のものである。これにより、ユーザに必要な力はより小さくなる。
【００２４】
詳細には、他の針廃棄インサートは図１３および図１４に示され、概略数字５０Ａで識別されるものである。針廃棄インサート５０Ａは上述され図１０に示された容器５２と同じ容器５２とともに用いられる。加えて、針廃棄インサート５０Ａは、上述され、また上記で図示された針ホルダー１０と同じ針ホルダー１０とともに用いられる。インサート５０Ａは構造および機能が、上述され、また上記で図示されたインサート５０ときわめて類似している。詳しくは、インサート５０Ａは針廃棄インサート５０の第１実施形態について上述されまた図示された取外し部７２と同じ取外し部７２Ａを含むものである。ただし、針廃棄インサート５０Ａはリセット部７４Ａを含み、このリセット部は動いて針グリップアセンブリー３０におけるリセットを能動的に手助けする。この点に関して、リセット部７４Ａは対向する上端９２と下端９４を備えたリセット壁９０を含む。リセット壁９０の上端９２は針廃棄インサート５０Ａのその他の部分に旋回可能に連結される。これにより、下端９４は針廃棄インサートに関して内方および外方に旋回することができる。針廃棄インサート５０Ａは、さらに、付勢手段９６を含み、これにより、リセット壁９０を内方に動かすことができる。付勢手段９６は弾性部材として例示されるものであり、針廃棄インサート５２の周りを円周状に延在する。ただし、他の付勢手段を用いることもでき、例えば、丁番結合に一体に組み込まれるものや半径方向に配列したばねであり、リセット壁９０に半径方向内向きの力を作用するものである。付勢手段９６は、通常リセット壁９０を図１３に示される半径方向内部の位置に動かす。ただし、針ホルダー１０の針廃棄インサート５０Ａへの下方への動きによって生じる力は、リセット壁９０の下端９４を外側へ、付勢手段９６によって作用する力に抗して旋回させるものである。外側に旋回したリセット壁９０の整列線は図９の針廃棄インサート５０におけるリセット部７４上の傾斜面８４のそれと同様である。このようにして、リセット壁９０は針廃棄インサート５０のリセット部７４と同様の方法で動作する。ただし、付勢手段９６はリセット壁９０の下端を半径方向内方向に付勢し、これにより、可動あご３８のリセット動作をアシストすることができる。
【図面の簡単な説明】
【図１】針ホルダーおよび針アセンブリの縦軸に沿った断面図である。
【図２】図１の針ホルダーについて針アセンブリを外した後の状態の縦軸に沿った横断面図である。
【図３】本発明による針廃棄インサートの斜視図である。
【図４】針廃棄インサートの上面図である。
【図５】針廃棄インサートの前面図である。
【図６】針廃棄インサートの側面図である。
【図７】針廃棄インサートの背面図である。
【図８】針廃棄インサートの底面図である。
【図９】図４における９−９線断面図である。
【図１０】図３〜図９の廃棄インサートを含む廃棄容器の斜視図である。
【図１１】図３〜図９の針廃棄インサートに針ホルダーと針アセンブリが挿入される最初の段階におけるそれらの縦軸に沿った断面図である。
【図１２】図１１と同様の断面図であるが、針ホルダーが針廃棄インサートに充分に挿入された状態の断面図である。
【図１３】図１１と同様の断面図であるが、代わりの針廃棄インサートの断面図である。
【図１４】図１２と同様の断面図であるが、代わりの針廃棄インサートの断面図である。
【符号の説明】
１０　針ホルダー
１２　針アセンブリ
３８　可動あご
４４　アクチュエータ
５０　針廃棄インサート
７２　取外し部
７４　リセット部
７６　上部傾斜面
７８　垂直案内面
８０　下部傾斜面
８２　上部垂直面
８４　傾斜リセット面
【図１】
2004000526.tif 000003
【図２】
2004000526.tif 000004
【図３】
2004000526.tif 000005
【図４】
2004000526.tif 000006
【図５】
2004000526.tif 000007
【図６】
2004000526.tif 000008
【図７】
2004000526.tif 000009
【図８】
2004000526.tif 000010
【図９】
2004000526.tif 000011
【図１０】
2004000526.tif 000012
【図１１】
2004000526.tif 000013
【図１２】
2004000526.tif 000014
【図１３】
2004000526.tif 000015
【図１４】
2004000526.tif 000016